(57)【要約】【課題】左右独立駆動車両において、左右輪をそれぞれを駆動させるモータの発熱もしくは過熱を防止するクラッチ制御装置を提供する。【解決手段】少なくとも前輪もしくは後輪の左右一対の車輪１Ｒ，１Ｌがそれぞれ独立したモータ２Ｒ，２Ｌにより駆動させられる車両において、車速やモータ２Ｒ，２Ｌの回転数、隣接する部材の温度によりモータ２Ｒ，２Ｌの温度を上昇させる要因を制御パラメータとし、モータの温度が上昇すると判断された場合は、各モータ２Ｒ，２Ｌと車輪１Ｒ，１Ｌとの間に設けられた各クラッチ４Ｒ，４Ｌを切り離す。【選択図】図１
2011084223.tif 000002
【特許請求の範囲】
【請求項１】
左右一対の前輪もしくは後輪毎にそれら左右輪を個別に駆動するように電動機が設けられるとともに、それらの左右輪とそれぞれの左右輪に対応する電動機との間にクラッチが設けられ、さらに他の後輪もしくは前輪を駆動する駆動力源が設けられている左右独立駆動車両におけるクラッチ制御装置において、
予め定めた所定の車速以上の速度で走行している場合、および前記いずれかの電動機の回転数が予め定めた回転数以上の場合のいずれかの場合に、前記駆動力源によって走行のための駆動力を出力するとともに前記左右輪のそれぞれに対応して設けられている前記クラッチを解放してそれらの左右輪とそれぞれの左右輪に対応して設けられている電動機との連結を解除するように構成されていることを特徴とする左右独立駆動車両におけるクラッチ制御装置。
【請求項２】
左右一対の前輪もしくは後輪毎にそれら左右輪を個別に駆動するように電動機が設けられるとともに、それらの左右輪とそれぞれの左右輪に対応する電動機との間にクラッチが設けられ、さらに他の後輪もしくは前輪を駆動する駆動力源が設けられている左右独立駆動車両におけるクラッチ制御装置において、
前記電動機の温度もしくは前記電動機に隣接して配置されている部材の温度を検出する温度検出手段と、
その温度検出手段で検出された温度もしくはその検出された温度の上昇勾配が予め定めた閾値以上の場合に、前記駆動力源によって走行のための駆動力を出力するとともに前記左右輪のそれぞれに対応して設けられている前記クラッチを解放してそれらの左右輪とそれぞれの左右輪に対応して設けられている電動機との連結を解除するクラッチ解放手段と
を備えていることを特徴とする左右独立駆動車両におけるクラッチ制御装置。
【請求項３】
左右一対の前輪もしくは後輪毎にそれら左右輪を個別に駆動するように電動機が設けられるとともに、それらの左右輪とそれぞれの左右輪に対応する電動機との間にクラッチが設けられ、さらに他の後輪もしくは前輪を駆動する駆動力源が設けられている左右独立駆動車両におけるクラッチ制御装置において、
前記車両が旋回している際の前記各電動機の温度を検出する旋回時温度検出手段と、
その旋回時温度検出手段で検出された温度が予め定めた温度以上となっている電動機を該電動機に対応して設けられているクラッチを解放して車輪から切り離すクラッチ解放手段と、
前記旋回時に前記電動機が切り離された車輪で担うべきトルクを前記切り離された車輪に対して左右反対側の車輪で担うように該左右反対側の車輪に対応して設けられている電動機のトルクを制御する電動機制御手段と
を備えていることを特徴とする左右独立駆動車両におけるクラッチ制御装置。
【請求項４】
前記駆動力源は、内燃機関によって構成され、あるいは内燃機関と電動機とによって構成され、もしくは電動機によって構成されていることを特徴とする、請求項１ないし３のいずれかに記載の左右独立駆動車両におけるクラッチ制御装置。
【発明の詳細な説明】
【技術分野】
【０００１】
この発明は、左右の前輪もしくは左右の後輪など、左右の一対の車輪をそれぞれに対応して設けた電動機で駆動するように構成された車両に関し、特にそれらの電動機と左右の各車輪との間に設けられたクラッチの係合・解放を制御する装置に関するものである。
【背景技術】
【０００２】
車両の駆動力源として内燃機関以外に電動機が用いられるようになってきており、それに伴い車輪毎に電動機を用意し、それらの車輪のトルクを個別に制御するように構成された車両が開発されている。例えば、特許文献１には、前後左右の四輪のそれぞれに対応させてモータを設けた車両が記載されており、この特許文献１に記載された制御装置は、左右のいずれか一輪のモータに異常が生じた場合、その一輪のトルク指示を“０”にし、併せて当該一輪と対をなす左右いずれかの他方の車輪に対するトルク指示を“０”にするように構成されている。さらに、特許文献１には、壊れた車輪と左右反対側の車輪のトルクを“０”にするとともに、同じ側の残りの車輪のトルクを減らすか、これとは反対に、反対側のトルクを増やすことによって、ズレを修正することが記載されている。
【０００３】
また、車輪とその車輪に対応させて設けられているモータとの間にクラッチ機構を設けた車両が特許文献２に記載されている。この特許文献２に記載された車両では、更にモータとクラッチ機構との間にパーキングロック機構が設けられており、そのクラッチ機構の係合・解放とパーキングロック機構によるロックとの順序を規定することにより違和感のないパーキングロックを行うことが特許文献２に記載されている。
【０００４】
なお、前輪をエンジンの動力で駆動し、後輪をモータの動力で駆動するように構成された車両が特許文献３に記載されており、そのモータとクラッチを介して左右の後輪に連結されている。そして、その車両を制御する制御装置は、車速が所定の閾値を超えた場合、あるいはモータの温度が閾値を超えた場合に、クラッチを解放するように構成されている。また、特許文献４には、前後輪に対するトルクの分配をクラッチによって行うように構成された車両であって、前後軸のうち潤滑油の温度が高い方の軸に大きいトルクが配分されるようにクラッチを制御する車両が記載されている。さらに、特許文献５には、エンジンと変速機との間にクラッチが設けられ、かつその変速機の入力軸に他のクラッチを介してモータが連結されたハイブリッド車が記載されており、このハイブリッド車はブレーキスイッチがオンになって制動状態が検出されると、前記他のクラッチを係合させてモータを強制的に駆動することにより発電量を増大させるように構成されている。
【先行技術文献】
【特許文献】
【０００５】
【特許文献１】特開平０５−３２８５４２号公報
【特許文献２】特開２００６−２２４８１９号公報
【特許文献３】特開２００４−２０８４４５号公報
【特許文献４】特開２００３−３２７００１号公報
【特許文献５】実開平０６−０１４４４５号公報
【発明の概要】
【発明が解決しようとする課題】
【０００６】
上述した特許文献１に記載された装置は、左右いずれかの車輪を駆動するモータに異常が生じた場合に、その異常のある車輪のモータ、およびこれとは左右反対側の車輪のモータに対するトルク指示を“０”にしているが、そのようなトルク指示は異常が発生した後に実行されるので、異常を未然に回避できないばかりか、異常が発生した後、トルク指示が行われて左右の車輪の駆動トルクが共に“０”になるまでの過渡状態での車両の挙動を安定化させる必要があり、車両の走行安定性の確保の点で未だ改善の余地があった。
【０００７】
なお、特許文献２に記載された装置は、パーキングロックの際の違和感を解消することを目的としてクラッチ機構を制御するものであり、そのクラッチ機構を更に有効に利用する技術を開発する余地がある。また、特許文献３ないし５にそれぞれ記載されている車両は、駆動力源としてエンジンとモータとを併用したハイブリッド車であり、そのモータをクラッチによって駆動系統もしくは車輪に対して連結し、またその連結を解くように構成されているが、それらのクラッチ機構は左右の車輪のトルクを個別に制御できるものではないから、車速や車両の全体としての駆動力などの走行状態を維持しつつそれらのクラッチの係合・解放の制御を行うためには、新たな制御技術が必要である。
【０００８】
この発明は上記の事情を背景としてなされたものであり、左右の車輪毎に設けられた電動機をそれぞれの車輪に個別に連結し、またその連結を解除するクラッチを有し、電動機の耐久性を維持し、あるいは車両の走行を安定させつつ制御することのできる装置を提供することを目的とするものである。
【課題を解決するための手段】
【０００９】
上記の目的を達成するために、請求項１の発明は、左右一対の前輪もしくは後輪毎にそれら左右輪を個別に駆動するように電動機が設けられるとともに、それらの左右輪とそれぞれの左右輪に対応する電動機との間にクラッチが設けられ、さらに他の後輪もしくは前輪を駆動する駆動力源が設けられている左右独立駆動車両におけるクラッチ制御装置において、予め定めた所定の車速以上の速度で走行している場合、および前記いずれかの電動機の回転数が予め定めた回転数以上の場合のいずれかの場合に、前記駆動力源によって走行のための駆動力を出力するとともに前記左右輪のそれぞれに対応して設けられている前記クラッチを解放してそれらの左右輪とそれぞれの左右輪に対応して設けられている電動機との連結を解除するように構成されていることを特徴とするものである。
【００１０】
また、請求項２の発明は、左右一対の前輪もしくは後輪毎にそれら左右輪を個別に駆動するように電動機が設けられるとともに、それらの左右輪とそれぞれの左右輪に対応する電動機との間にクラッチが設けられ、さらに他の後輪もしくは前輪を駆動する駆動力源が設けられている左右独立駆動車両におけるクラッチ制御装置において、前記電動機の温度もしくは前記電動機に隣接して配置されている部材の温度を検出する温度検出手段と、その温度検出手段で検出された温度もしくはその検出された温度の上昇勾配が予め定めた閾値以上の場合に、前記駆動力源によって走行のための駆動力を出力するとともに前記左右輪のそれぞれに対応して設けられている前記クラッチを解放してそれらの左右輪とそれぞれの左右輪に対応して設けられている電動機との連結を解除するクラッチ解放手段とを備えていることを特徴とするものである。
【００１１】
さらに、請求項３の発明は、左右一対の前輪もしくは後輪毎にそれら左右輪を個別に駆動するように電動機が設けられるとともに、それらの左右輪とそれぞれの左右輪に対応する電動機との間にクラッチが設けられ、さらに他の後輪もしくは前輪を駆動する駆動力源が設けられている左右独立駆動車両におけるクラッチ制御装置において、前記車両が旋回している際の前記各電動機の温度を検出する旋回時温度検出手段と、その旋回時温度検出手段で検出された温度が予め定めた温度以上となっている電動機を該電動機に対応して設けられているクラッチを解放して車輪から切り離すクラッチ解放手段と、前記旋回時に前記電動機が切り離された車輪で担うべきトルクを前記切り離された車輪に対して左右反対側の車輪で担うように該左右反対側の車輪に対応して設けられている電動機のトルクを制御する電動機制御手段とを備えていることを特徴とするものである。
【００１２】
そして、請求項４の発明は、請求項１ないし３のいずれかの発明において、前記駆動力源は、内燃機関によって構成され、あるいは内燃機関と電動機とによって構成され、もしくは電動機によって構成されていることを特徴とする、左右独立駆動車両におけるクラッチ制御装置である。
【発明の効果】
【００１３】
請求項１の発明によれば、車速あるいは電動機の回転数が判断基準として予め定めた所定値以上になると、その電動機以外の前記駆動力源が出力する動力で走行するとともに、各クラッチが解放させられて各電動機が車輪から切り離される。したがって、電動機が過剰に回転することが防止もしくは抑制されてその耐久性が良好になるとともに、走行のための駆動力は、前記駆動力源が出力するので、必要とする駆動力を確保でき、しかも電動機で駆動される左右一対の車輪の駆動トルクは共にゼロになるので、車両の走行安定性は良好な状態に維持することができる。
【００１４】
また、請求項２の発明によれば、電動機やその近隣の部材の温度もしくはその上昇勾配が判断基準として予め定めた所定値以上になると、その電動機以外の前記駆動力源が出力する動力で走行するとともに、各クラッチが解放させられて各電動機が車輪から切り離される。したがって、電動機の回転を止め、あるいは通電を止めることが可能になってその発熱を生じさせないので、電動機に異常が生じたり、その耐久性が低下したりすることを防止もしくは抑制できるとともに、走行のための駆動力は、前記駆動力源が出力するので、必要とする駆動力を確保でき、しかも電動機で駆動される左右一対の車輪の駆動トルクは共にゼロになるので、車両の走行安定性は良好な状態に維持することができる。
【００１５】
さらに、請求項３の発明によれば、旋回時に左右いずれか一方の電動機の温度が所定温度以上に上昇すると、その電動機はクラッチを解放して車輪から切り離されるので、その電動機の温度が更に高くなったり、それに伴って異常が生じたりすることを回避もしくは抑制することができる。しかも、温度が上昇していない他方の電動機が、車輪から切り離された前記電動機が担うトルクを出力するように制御されるので、旋回のための横力もしくはモーメントを確保でき、安定した走行が可能になる。
【００１６】
そして、請求項４の発明によれば、ハイブリッド型の四輪駆動車あるいはインホイールモータ型の四輪駆動車において、上記の請求項１ないし３の発明によるような効果を得ることができる。
【図面の簡単な説明】
【００１７】
【図１】この発明に係る制御装置で対象とする車両の構成の一例を示す概略図である。
【図２】この発明に係る制御装置で実行される制御の一例を説明するためのフローチャートである。
【図３】図２に示す制御を行った場合のモータトルクの変化を示す線図である。
【図４】この発明に係る制御装置で実行される制御の他の例を説明するためのフローチャートである。
【図５】この発明に係る制御装置で実行される制御の更に他の例を説明するためのフローチャートである。
【図６】この発明に係る制御装置で実行される制御の例であって旋回時に実行される制御例を説明するためのフローチャートである。
【図７】この発明に係る制御装置で実行される制御の例であって減速時もしくは制動時に実行される制御例を説明するためのフローチャートである。
【図８】この発明に係る制御装置で対象とする車両の構成の他の例を示す概略図である。
【図９】この発明に係る制御装置で対象とする車両の構成の更に他の例を示す概略図である。
【発明を実施するための形態】
【００１８】
つぎに、この発明を図に示す具体例に基づいて説明する。図１は、この発明で対象とすることのできる車両の一例を概念的に示しており、ここに示す車両は、左右の前輪１Ｒ，１Ｌがそれぞれモータ２Ｒ，２Ｌによって駆動され、左右の後輪３Ｒ，３Ｌがいわゆる２モータ型ハイブリッド装置によって駆動されるように構成された例である。すなわち、図示しない操舵装置によって転舵される左右の前輪１Ｒ，１Ｌのそれぞれに対応してモータ２Ｒ，２Ｌが設けられており、それらの前輪１Ｒ，１Ｌとモータ２Ｒ，２Ｌとの間にクラッチ４Ｒ，４Ｌが配置されている。モータ２Ｒ，２Ｌは、永久磁石式同期電動機などの発電機能を備えたモータであり、それぞれインバータ５Ｒ，５Ｌなどのコントローラを介して図示しない蓄電装置に接続されている。すなわち、蓄電装置から供給される電力によってモータとして機能し、また強制的に回転させられることにより発電を行い、その電力を蓄電装置に充電するように構成されている。
【００１９】
また、クラッチ４Ｒ，４Ｌは摩擦クラッチや噛み合いクラッチなど、要は、係合することによりトルクを伝達できる状態になり、解放することによりトルクの伝達を遮断するように構成された継手であり、油圧や電磁力によって係合・解放の動作を行うように構成されている。したがって各クラッチ４Ｒ，４Ｌはその係合・解放の制御を電気的に行い得るように構成されており、その制御のためのクラッチ制御部６が設けられている。このクラッチ制御部６は、所定の条件が成立することによってクラッチ４Ｒ，４Ｌに対してこれを係合させ、あるいは解放させる指令信号を出力し、それに基づいて図示しないアクチュエータが動作してクラッチ４Ｒ，４Ｌが係合し、あるいは解放するように構成されている。
【００２０】
後輪３Ｒ，３Ｌを駆動するためのハイブリッド装置について説明すると、この発明における駆動力源に相当するエンジン７を備えており、そのエンジン７は動力分配装置８を構成している遊星歯車機構におけるキャリヤ９に連結されている。そのエンジン７は、要は燃料を燃焼させて機械的な動力を出力する内燃機関であって、ガソリンエンジンやディーゼルエンジンあるいはＬＰＧエンジンなどがその例である。図１に示す遊星歯車機構はいわゆるシングルピニオン型のものであって、サンギヤ１０と、そのサンギヤ１０に対して同心円上に配置された内歯歯車であるリングギヤ１１とを備え、これらサンギヤ１０とリングギヤ１１との間に配置されてサンギヤ１０とリングギヤ１１とに噛み合っているピニオンギヤがキャリヤ９によって自転自在かつ公転自在に保持されている。
【００２１】
そのサンギヤ１０には第１のモータ・ジェネレータ（ＭＧ）１２が連結されている。その第１のモータ・ジェネレータ１２は、モータおよび発電機として機能するように構成され、図示しないインバータなどのコントローラを介して蓄電装置に接続されている。また、リングギヤ１１は、出力軸１３を介して後輪側の終減速機（デファレンシャルギヤ）１４に連結されており、この終減速機１４から左右の後輪３Ｒ，３Ｌにトルクを伝達するように構成されている。そして、出力軸１３に第２のモータ・ジェネレータ（ＭＧ）１５が連結されている。この第２のモータ・ジェネレータ１５は前述した第１のモータ・ジェネレータ１２と同様の構成であって、モータおよび発電機として機能するように構成されている。したがって、第２のモータ・ジェネレータ１５は図示しないインバータなどのコントローラを介して蓄電装置に接続されている。また、各モータ・ジェネレータ１２，１５は相互に電力を授受できるように構成されている。
【００２２】
このハイブリッド装置の作用を簡単に説明すると、エンジン７が出力した動力は動力分配装置８によって第１のモータ・ジェネレータ１２と出力軸１３とに分配される。その場合、第１のモータ・ジェネレータ１２を発電機として機能させることによりサンギヤ１０に対してその回転を止める方向のトルク（すなわち負のトルク）を与え、かつその回転数を制御することによりエンジン７の回転数を適宜に制御することができる。また、エンジン７を停止した状態に制御することもできる。したがって、動力分配装置８および第１のモータ・ジェネレータ１２は、無段変速機あるいは電気的トルクコンバータとして機能することができる。一方、第１のモータ・ジェネレータ１２で発生した電力は、インバータなどのコントローラや蓄電装置を介して第２のモータ・ジェネレータ１５に供給され、第２のモータ・ジェネレータ１５がモータとして動作する。すなわち、第１のモータ・ジェネレータ１２側に分配された動力が出力軸１３に伝達される。したがって、出力要求を満たしつつエンジン７を最適燃費点で運転することが可能になる。
【００２３】
なお、図１はこの発明に係る制御装置に関連する構成を示すのにとどまり、図１に示す車両は、通常の車両と同様に、ブレーキ、ブレーキ・オンの状態で動作するブレーキスイッチ、アクセルペダルなどの各種の機器、部材を備えている。また、エンジン７やクラッチ４Ｒ，４Ｌ、各モータ２Ｒ，２Ｌ、各モータ・ジェネレータ１２，１５などを制御するための電子制御装置（ＥＣＵ）１６を備えている。この電子制御装置１６は、マイクロコンピュータを主体として構成され、入力された車速や各モータ２Ｒ，２Ｌの回転数、その温度などのデータおよび予め記憶しているデータに基づいて演算を行い、その演算の結果を制御指令信号としてクラッチ４Ｒ，４Ｌや各モータ２Ｒ，２Ｌ、エンジン７などに出力するように構成されている。
【００２４】
この発明に係る制御装置は、上述した左右前輪１Ｒ，１Ｌのクラッチ４Ｒ，４Ｌを係合あるいは解放状態に制御するように構成されており、その制御の例を以下に説明する。図２はその制御の一例を説明するためのフローチャートであって、先ず、いずれか一方のクラッチ４Ｒ，４Ｌが係合しているか否か、例えば左前輪１Ｌのクラッチ４Ｌが係合しているか否かが判断される（ステップＳ１１）。この判断は、前述したクラッチ制御部６から出力されている信号によって判断することができる。左前輪１Ｌのクラッチ４Ｌが解放状態になっていることによりステップＳ１１で否定的に判断された場合には、特に制御を行うことなく図２に示すルーチンを一旦終了する。
【００２５】
これとは反対に左前輪１Ｌのクラッチ４Ｌが係合していることによりステップＳ１１で肯定的に判断された場合には、これとは左右反対側の車輪のクラッチ、例えば右前輪１Ｒのクラッチ４Ｒが係合しているか否かが判断される（ステップＳ１２）。この判断も、前述したクラッチ制御部６から出力されている信号によって判断することができ、右前輪１Ｒのクラッチ４Ｒが解放状態になっていることによりステップＳ１２で否定的に判断された場合には、特に制御を行うことなく図２に示すルーチンを一旦終了する。
【００２６】
これに対してステップＳ１２で肯定的に判断された場合には左右のクラッチ４Ｒ，４Ｌのいずれもが係合していることになり、その場合には、車速が予め定めた所定の車速（閾値）以上か否かが判断される（ステップＳ１３）。ここで、所定の車速とは、モータ２Ｒ，２Ｌが前輪１Ｒ，１Ｌと連れ回ることによりその温度がその耐久性や特性などに影響する程度に上昇することが予想されるとして実験などに基づいて定めた車速である。この判断は、前述した動力分配装置８の出力軸１３や前輪もしくは後輪の回転数などを検出し、その検出した信号によって判断することができる。車速が予め定めた所定の車速（閾値）以上であることによりステップＳ１３で肯定的に判断された場合には、左右のクラッチ４Ｒ，４Ｌを共に解放し、各モータ２Ｒ，２Ｌと各前輪１Ｒ，１Ｌとを切り離す（ステップＳ１４）。その後、図２に示すルーチンを一旦終了する。その場合、各モータ２Ｒ，２Ｌがトルクを出力していれば、クラッチ４Ｒ，４Ｌを解放することによる前輪１Ｒ，１Ｌの駆動トルクの低下分を、エンジン７の出力トルクを増大することにより、あるいは第２モータ・ジェネレータ１５のモータトルクを増大させることにより補償することが好ましい。また、各モータ２Ｒ，２Ｌがエネルギ回生を行っていれば、前輪１Ｒ，１Ｌによる制動トルクを補うように前輪１Ｒ，１Ｌに設けられているブレーキによる制動力を増大させ、あるいは第２のモータ・ジェネレータ１５による回生制動力を増大させることが好ましい。
【００２７】
これとは反対に車速が予め定めた車速（閾値）未満である場合は、ステップＳ１３で否定的に判断され、右前輪１Ｒおよび左前輪１Ｌに設けられた各モータ２Ｒ，２Ｌのいずれか一方の回転数が予め定めた所定の回転数（閾値）以上か否かが判断される（ステップＳ１５）。ここで所定の回転数とは、モータ２Ｒ，２Ｌの耐久性や特性などに影響する温度にまで熱が出ることが予想されるとして実験などに基づいて定めた回転数である。この判断は、回転数を検出するセンサをそれぞれのモータ２Ｒ，２Ｌに設け、そのセンサから出力された信号により判断することができ、あるいはブラシレスモータの場合には、ロータの位相を検出するレゾルバーなどからの信号に基づいて判断することができる。右前輪１Ｒ用のモータ２Ｒおよび左前輪１Ｌ用のモータ２Ｌのいずれか一方の回転数が予め定めた所定の回転数（閾値）以上であることによりステップＳ１５で肯定的に判断された場合には、各クラッチ４Ｒ，４Ｌを共に解放し、各モータ２Ｒ，２Ｌと各車輪１Ｒ，１Ｌとを切り離す（ステップＳ１６）。その後に図２に示すルーチンを一旦終了する。なお、この場合も、駆動力もしくは制動力を確保するために、エンジン７もしくは第２のモータ・ジェネレータ１５の出力あるいは回生量を制御することが好ましい。
【００２８】
これに対して前輪１Ｒ，１Ｌ用の各モータ２Ｒ，２Ｌの回転数が共に予め定めた所定の回転数（閾値）未満であることによりステップＳ１５で否定的にに判断された場合には、特に制御を行うことなく図２に示すルーチンを一旦終了する。すなわち、各前輪１Ｒ，１Ｌとそれぞれに対応して設けられているモータ２Ｒ，２Ｌとをクラッチ４Ｒ，４Ｌによって連結した状態に維持する。
【００２９】
上記の図２に示す制御を行っている状態で、車速が所定値に達した場合のモータトルクの変化を図３に示してある。車両が発進後、車速Ｖが次第に増大している状態では、左右の前輪１Ｒ，１Ｌに対応させて設けてある各モータ２Ｒ，２Ｌが一定のトルクを出力して加速しており、ある程度まで車速Ｖが増大した後は、運転者によりアクセルペダルの操作量に応じて、あるいは旋回の程度に応じてモータ２Ｒ，２Ｌの出力トルクが増減させられる。そして、車速Ｖが所定値Ｖ0 に近付くとモータトルクは次第に低下させられ、車速Ｖが所定車速Ｖ0 に達した時点にモータトルクはゼロに制御され、かつ各クラッチ４Ｒ，４Ｌが解放させられる。なおその場合、クラッチ４Ｒ，４Ｌに不可避的な引き摺りトルク（ドラッグトルク）が生じると、モータトルクは僅かながら負のトルクとなる。
【００３０】
したがって、上述した制御例では、車速あるいはいずれかのモータ２Ｒ，２Ｌの回転数が、それぞれに対応させて予め定めた所定の値（閾値）以上の場合は、各クラッチ４Ｒ，４Ｌを解放し、各モータ２Ｒ，２Ｌと各車輪１Ｒ，１Ｌとを切り離すことにより、モータ２Ｒ，２Ｌの過剰な回転や温度上昇を防止もしくは抑制することができる。しかも上記の制御例では、一方のモータ２Ｒ（２Ｌ）の回転数について上記の条件が成立すると、左右両方のクラッチ４Ｒ，４Ｌを共に解放するので、左右いずれか一方の前輪１Ｒ（１Ｌ）で駆動トルクが発生し、あるいは制動トルクが生じるなど積極的なヨーモーメントが生じる事態を回避し、車両の走行安定性を維持することが可能である。また、車両駆動トルクは、エンジン７によって維持することができる。
【００３１】
また、図３に示す車両の加速時におけるモータトルクの変化からも判るように、車両が高速走行をしている状態では、クラッチ４Ｒ，４Ｌを解放することによりモータ２Ｒ，２Ｌを引き摺って回転させることが殆どないので、動力の損失を低減でき、燃費の向上を図ることができる。さらに、上述した例では、高速走行時に各クラッチ４Ｒ，４Ｌを解放することにより、高速走行のためにモータ２Ｒ，２Ｌのトルクを使用しないため、各モータ２Ｒ，２Ｌを小型のものとすることができ、車載性を向上させることができる。
【００３２】
前述した制御例は、モータ２Ｒ，２Ｌの温度上昇の要因となる車速もしくはモータ回転数が閾値以上になったか否か判断するように構成した例であるが、この発明では、モータ２Ｒ，２Ｌの温度を直接判断してクラッチ４Ｒ，４Ｌの係合・解放の制御を行うように構成することができる。図４はその例を説明するためのフローチャートであって、前述した図３に示す制御例と同様に、先ず、いずれか一方のクラッチ４Ｒ，４Ｌが係合しているか否か、例えば左前輪１Ｌのクラッチ４Ｌが係合しているか否かが判断される（ステップＳ２１）。左前輪１Ｌのクラッチ４Ｌが解放状態になっていることによりステップＳ２１で否定的に判断された場合には、特に制御を行うことなく図４に示すルーチンを一旦終了する。
【００３３】
これとは反対に左前輪１Ｌのクラッチ４Ｌが係合していることによりステップＳ２１で肯定的に判断された場合には、これとは左右反対側の車輪のクラッチ、例えば右前輪１Ｒのクラッチ４Ｒが係合しているか否かが判断される（ステップＳ２２）。なお、これらステップＳ２１およびステップＳ２２による判断の順序は特に問わない。いずれの判断が先に行われてもよい。右前輪１Ｒのクラッチ４Ｒが解放状態になっていることによりステップＳ２２で否定的に判断された場合には、特に制御を行うことなく図４に示すルーチンを一旦終了する。
【００３４】
これに対してステップＳ２２で肯定的に判断された場合には左右のクラッチ４Ｒ，４Ｌのいずれもが係合していることになり、その場合は、いずれか一方のモータ２Ｒ，２Ｌの温度（もしくは温度の上昇勾配：以下、温度および昇温勾配をまとめて「温度」と記す）が予め定めた所定の温度（閾値）以上か否か、例えば左側のモータ２Ｌの温度が予め定めた所定の温度（閾値）以上か否かが判断される（ステップＳ２３）。ここで、所定の温度とは、モータ２Ｒ，２Ｌの耐久性や特性に影響するとして実験などに基づいて定めた温度である。この判断は、モータ２Ｌに温度検出センサを設けて、そのセンサから出力された信号により温度を判断することができ、随時温度を検出することにより、単位時間あたりの温度上昇つまり温度勾配を判断することができる。モータ２Ｌの温度が予め定めた所定の温度（閾値）以上であることによりステップＳ２３で肯定的に判断された場合は、左右の各クラッチ４Ｒ，４Ｌを共に解放して、各モータ２Ｒ，２Ｌと各車輪１Ｒ，１Ｌとを切り離す（ステップＳ２４）。その後に、図４に示すルーチンを一旦終了する。なお、この場合も、駆動力もしくは制動力を確保するために、エンジン７もしくは第２のモータ・ジェネレータ１５の出力あるいは回生量を制御することが好ましい。
【００３５】
これとは反対に左側のモータ２Ｌが予め定めた所定の温度（閾値）未満であることによりステップＳ２３で否定的に判断された場合は、左右反対側のモータ２Ｒの温度が予め定めた所定の温度（閾値）以上か否かが判断される（ステップＳ２５）。この判断も、モータ２Ｒに温度検出センサを設けて、そのセンサから出力された信号により温度を判断することができ、随時温度を検出することにより、単位時間あたりの温度上昇つまり温度勾配を判断することができる。右側のモータ２Ｒの温度が予め定めた所定の温度（閾値）以上であることによりステップＳ２５で肯定的に判断された場合は、ステップＳ２３で肯定的に判断された場合と同様にステップＳ２４に進み、各クラッチ４Ｒ，４Ｌを共に解放し、各モータ２Ｒ，２Ｌと各車輪１Ｒ，１Ｌとを切り離す。その後に、図４に示すルーチンを一旦終了する。なお、この場合も、駆動力もしくは制動力を確保するために、エンジン７もしくは第２のモータ・ジェネレータ１５の出力あるいは回生量を制御することが好ましい。
【００３６】
これに対して、モータ２Ｒの温度が予め定めた所定の温度（閾値）未満であることによりステップＳ２５で否定的に判断された場合は、特に制御を行うことなく図４に示すルーチンを一旦終了する。
【００３７】
したがって、図４に示す制御を実行するように構成されている場合には、いずれか一方のモータ２Ｒ（２Ｌ）の温度が高くなっている場合、もしくは高くなる状態にあることが判断された場合、上述した図３に示す制御例と同様に、各クラッチ４Ｒ，４Ｌを解放し、各モータ２Ｒ，２Ｌと各車輪１Ｒ，１Ｌとを切り離すことにより、モータ２Ｒ，２Ｌの過剰な回転や温度上昇を防止もしくは抑制することができる。しかも上記の制御例では、一方のモータ２Ｒ（２Ｌ）の回転数について上記の条件が成立すると、左右両方のクラッチ４Ｒ，４Ｌを共に解放するので、左右いずれか一方の前輪１Ｒ（１Ｌ）で駆動トルクが発生し、あるいは制動トルクが生じるなど積極的なヨーモーメントが生じる事態を回避し、車両の走行安定性を維持することが可能である。また、モータ２Ｒ，２Ｌの制御とクラッチ４Ｒ，４Ｌの係合・解放の制御とは別の制御で行っているので、モータ２Ｒ，２Ｌの制御系のフェールによりモータ２Ｒ，２Ｌが指令と異なった出力をした場合でも、クラッチ４Ｒ，４Ｌの解放が可能であり、走行安定性に影響を与えることを防ぐことができる。
【００３８】
ところで、モータ２Ｒ，２Ｌのコイルに電流が流れれば、不可避的に発熱するので、その周囲の温度が高い場合には、放熱が制限されてモータ２Ｒ，２Ｌの温度が高くなりやすく、また周囲から熱を受けて温度が上昇することがある。そのような場合にも、前述したクラッチ４Ｒ，４Ｌを解放してモータ２Ｒ，２Ｌの加熱を防止もしくは抑制するよう制御することができる。以下にその制御例を説明する。図５はその制御例の一例を説明するフローチャートであり、前述した二つの制御例と同様に、先ず、いずれか一方のクラッチ４Ｒ，４Ｌが係合しているか否か、例えば左前輪１Ｌのクラッチ４Ｌが係合しているか否かが判断される（ステップＳ３１）。左前輪１Ｌのクラッチ４Ｌが解放状態になっていることによりステップＳ３１で否定的に判断された場合には、特に制御を行うことなく図５に示すルーチンを一旦終了する。
【００３９】
これとは反対に左前輪１Ｌのクラッチ４Ｌが係合していることによりステップＳ３１で肯定的に判断された場合には、これとは左右反対側の車輪のクラッチ、例えば右前輪１Ｒのクラッチ４Ｒが係合しているか否かが判断される（ステップＳ３２）。右前輪１Ｒのクラッチ４Ｒが解放状態になっていることによりステップＳ３２で否定的に判断された場合には、特に制御を行うことなく図５に示すルーチンを一旦終了する。
【００４０】
これに対してステップＳ３２で肯定的に判断された場合には左右のクラッチ４Ｒ，４Ｌのいずれもが係合していることになり、その場合は、エンジンの温度が予め定めた所定の温度（閾値）以上か否かが判断される（ステップＳ３３）。ここで所定の温度とは、モータ２Ｒ，２Ｌの温度を、その耐久性や特性などに影響を及ぼす程度に上昇させるとして実験などに基づいて定めた温度である。この判断は、エンジンに設けられた既存の温度検出センサからの信号により判断することができ、あるいはエンジン冷却水温度から求めることができる。ここで、エンジン７の温度を判断することとしたのは、エンジン７はモータ２Ｒ，２Ｌに接近して配置されており、その温度がモータ２Ｒ，２Ｌに対して熱影響を与えやすいからである。
【００４１】
エンジン７の温度が予め定めた所定の温度（閾値）以上であることによりステップＳ３３で肯定的に判断された場合は、各クラッチ４Ｒ，４Ｌを共に解放し、各モータ２Ｒ，２Ｌと各車輪１Ｒ，１Ｌとを切り離す（ステップＳ３４）。その後に、図５に示すルーチンを一旦終了する。なお、この場合も、駆動力もしくは制動力を確保するために、エンジン７もしくは第２のモータ・ジェネレータ１５の出力あるいは回生量を制御することが好ましい。
【００４２】
これに対して、エンジン７の温度が所定の温度未満であることによりステップＳ３３で否定的に判断された場合には、左右それぞれの前輪１Ｒ，１Ｌに付設されているブレーキの温度が予め定めた所定の温度（閾値）以上か否かが判断される（ステップＳ３５，Ｓ３６）。例えば、左前輪１Ｌのブレーキが所定の温度以上か否かが判断され（ステップＳ３５）、その判断結果が否定的である場合には、右前輪１Ｒのブレーキが所定の温度以上か否かが判断される（ステップＳ３６）。ここで、ブレーキの温度を判断することとしたのは、各ブレーキはモータ２Ｒ，２Ｌに接近して配置されており、その温度がモータ２Ｒ，２Ｌに対して熱影響を与えやすいからである。
【００４３】
左右の少なくともいずれか一方のブレーキの温度が所定の温度以上であることにより、ステップＳ３５もしくはステップＳ３６で肯定的に判断された場合には、前述したステップＳ３４に進んで各クラッチ４Ｒ，４Ｌを共に解放し、各モータ２Ｒ，２Ｌと各車輪１Ｒ，１Ｌとを切り離し、その後に、図５に示すルーチンを一旦終了する。なお、この場合も、駆動力もしくは制動力を確保するために、エンジン７もしくは第２のモータ・ジェネレータ１５の出力あるいは回生量を制御することが好ましい。
【００４４】
図５に示す制御例は、モータ２Ｒ，２Ｌに隣接して配置されているエンジン７、ブレーキまたはインバータ５Ｒ，５Ｌなどの温度が高くなることによりモータ２Ｒ，２Ｌが加熱され、あるいは放熱が制限される事態に対処して、モータ２Ｒ，２Ｌの温度が過剰に上昇することを防止するものである。この制御例においても、前述した二つの制御例と同様に、モータ２Ｒ，２Ｌの温度が高くなると判断された場合は、各モータ２Ｒ，２Ｌと各車輪１Ｒ，１Ｌとを切り離すことにより、モータ２Ｒ，２Ｌの過剰な温度上昇を防止もしくは抑制することが可能となり、モータ２Ｒ，２Ｌの耐久性や特性などの低下を未然に防止することができる。さらに左右いずれかのモータ２Ｒ，２Ｌの温度が高くなることが予想される場合には、左右両方のクラッチ４Ｒ，４Ｌを共に解放するので、左右の前輪１Ｒ，１Ｌのトルクが共にゼロとなって走行の安定性を維持することが可能である。
【００４５】
つぎに、車両が旋回している場合の制御例について説明する。車両が旋回する場合、内輪のトルクに対して外輪のトルクが大きいことが好ましいので、以下に説明する制御例は、いずれか一方のモータ２Ｒ（２Ｌ）について、クラッチ４Ｒ（４Ｌ）を解放するべき条件が成立した場合に、当該一方のモータ２Ｒ（２Ｌ）についてのクラッチ４Ｒ（４Ｌ）のみを解放するように構成されている。具体的に説明すると、図６は車両が左旋回する場合の制御例を説明するためのフローチャートであり、先ず、いずれか一方のモータ（例えば右側のモータ）２Ｒの温度が予め定めた所定の温度（閾値）以上か否かが判断される（ステップＳ４１）。その所定の温度は前述した図４に示す制御例におけるものと同様である。このステップＳ４１で肯定的に判断された場合、すなわち上記のモータ２Ｒの温度が高いことが判断された場合には、左右両方のクラッチ４Ｒ，４Ｌを解放して（ステップＳ４２）、左右の前輪１Ｒ，１Ｌをそれぞれに対応して設けられているモータ２Ｒ，２Ｌから切り離す。その後、図６に示すルーチンを一旦終了する。このステップＳ４１およびステップＳ４２の制御は、前述した図４に示す制御例におけるものと同様である。
【００４６】
一方、モータ２Ｒの温度が相対的に低いことによりステップＳ４１で否定的に判断された場合には、左右反対側の他方（左側）のモータ２Ｌの温度が予め定めた所定の温度（閾値）以上か否かが判断される（ステップＳ４３）。その所定の温度は前述した図４に示す制御例におけるものと同様である。このステップＳ４３で否定的に判断された場合には、左右のモータ２Ｒ，２Ｌの温度がいずれも所定の温度より低いことになり、各モータ２Ｒ，２Ｌが正常に機能する状態であるから、左右の各クラッチ４Ｒ，４Ｌが係合状態に維持される（ステップＳ４４）。
【００４７】
これに対して、左側のモータ２Ｌの温度が所定の温度以上であることによりステップＳ４３が肯定的に判断された場合には、右側のモータ２Ｒの温度が所定の温度より低温であっても、左右両方のクラッチ４Ｒ，４Ｌを一旦解放し（ステップＳ４５）、左右の前輪１Ｒ，１Ｌをそれぞれに対応して設けられているモータ２Ｒ，２Ｌから切り離す。ついで、旋回走行のためのトルクの指令状態が判断される。すなわち、左側のモータ２Ｌに、走行方向に対して負のトルクを生じるように指令が出力されているか否かが判断される（ステップＳ４６）。いわゆる負のトルク指令が出力されていないことによりステップＳ４６で否定的に判断された場合には、特に制御を行うことなく図６のルーチンを一旦終了する。これに対して左側のモータ２Ｌに対していわゆる負のトルク指令が出力されていることによりステップＳ４６で肯定的に判断された場合には、右側のモータ２Ｒに、走行方向に対して正のトルクを生じるように指令が出力されているか否かが判断される（ステップＳ４７）。このステップＳ４７で否定的に判断された場合には、駆動トルクの指令状態が、積極的に左旋回するための状態ではないので、特に制御を行うことなく図６のルーチンを一旦終了する。これとは反対にステップＳ４７で肯定的に判断された場合には、右側の前輪１Ｒが正の駆動トルクを発生し、左側の前輪１Ｌが制動トルクを発生するように制御されている状態、すなわち左旋回する状態であることの判断が成立していることになる。なお、上記のステップＳ４６およびステップＳ４７の判断の順序は、いずれが先であってもよい。
【００４８】
この左旋回する状態で前述したステップＳ４３の判断が成立していることにより、いわゆる内輪側のモータ２Ｌの温度が所定の温度以上になり、そのモータ２Ｌを正常に機能させ得ない事態が生じていることになる。そこで、ステップＳ４７で肯定的に判断された場合には、外輪側のモータ２Ｒが、内輪側のモータ２Ｌが出力するべきトルクを受け持って出力できるか否かが判断される（ステップＳ４８）。すなわち、外輪側のモータ２Ｒが内輪側のモータ２Ｌの出力予定トルクを足した正トルクを出力可能か否かが判断される。旋回時に各モータ２Ｒ，２Ｌが出力するべきトルクは設計上予め決めておくことができ、また各モータ２Ｒ，２Ｌには許容される最大出力トルクが決められているから、ステップＳ４８の判断はこれらのデータに基づいて容易に行うことができる。
【００４９】
外輪側のモータ２Ｒが本来出力することが予定されているトルクに、内輪側のモータ２Ｌの出力予定トルクを加えた総トルクが、外輪側のモータ２Ｒの許容最大トルクを超えていることによりステップＳ４８で否定的に判断された場合には、特に制御を行うことなく図６のルーチンを一旦終了する。これとは反対にステップＳ４８で肯定的に判断された場合には、外輪側のモータ２Ｒから右側の前輪１Ｒにトルクを伝達するために、これらのモータ２Ｒと右前輪１Ｒとの間のクラッチ４Ｒが係合させられる（ステップＳ４９）。そして、外輪側のモータ２Ｒが本来出力することが予定されているトルクに、内輪側のモータ２Ｌで出力が予定されていたトルクを加えた正トルクが、正常に機能できる外輪側のモータ２Ｒの出力トルクとして外輪側のモータ２Ｒに対して指令される（ステップＳ５０）。
【００５０】
したがって、温度が高いことにより正常に機能させ得ない内輪側のモータ２Ｌを左前輪１Ｌから切り離して停止させておくことが可能になり、そのモータ２Ｌの耐久性の低下や損傷などを未然に防止することができる。また、正常に機能し得るモータ２Ｒは、停止させられるモータ２Ｌが出力するべきトルクを補償するようにトルクを出力するから、旋回時に要求されるヨーモーメントを生じさせることができ、車両の回頭性を損なうことなく旋回走行することができる。なお、外輪側のモータが車輪から切り離される場合には、内輪側のモータの負のトルクを増大させれば、上記の制御例と同様に、旋回時に必要なヨーモーメントを生じさせることができる。
【００５１】
ところで、左右の車輪に対応して個別に設けられているモータは、いわゆるモータ・ジェネレータと称される発電機能のあるモータであってよいから、車両の減速時にはエネルギ回生に使用することができる。この発明に係る制御装置は、そのようなエネルギ回生のためにクラッチ４Ｒ，４Ｌの係合・解放状態を制御することができ、その制御の一例を図７にフローチャートで示してある。図７に示す制御例では、先ず、各クラッチ４Ｒ，４Ｌが解放状態になっているか否かが判断される。例えば左前輪１Ｌ側のクラッチ４Ｌが解放されているか否か（切り離されているか否か）が判断される（ステップＳ６１）。その判断の結果が否定的である場合、すなわち係合状態であれば、特に制御を行うことなく図７のルーチンを終了する。これとは反対に解放状態であることによりステップＳ６１で肯定的に判断された場合には、右前輪１Ｒ側のクラッチ４Ｒが解放されているか否か（切り離されているか否か）が判断される（ステップＳ６２）。その判断の結果が否定的である場合、すなわち係合状態であれば、特に制御を行うことなく図７のルーチンを終了する。なお、ステップＳ６１とステップＳ６２との判断の順序は、いずれが先であってもよい。
【００５２】
一方、ステップＳ６２で肯定的に判断された場合には、各クラッチ４Ｒ，４Ｌが解放状態にあって各前輪１Ｒ，１Ｌがそれぞれに対応して設けられているモータ２Ｒ，２Ｌから切り離されていることになる。その場合には、所定の踏力（閾値）以上の踏力でブレーキ操作されているか否かが判断される（ステップＳ６３）。このステップＳ６３は車両が減速状態あるいは制動状態になっているか否かを判断するためのものであり、したがって上記の所定の踏力は、車両に実質的な制動力が生じる程度の踏力として予め定めたものである。ブレーキ操作されていないなどステップＳ６３で否定的に判断された場合には、特に制御を行うことなく図７のルーチンを一旦終了する。したがって、各クラッチ４Ｒ，４Ｌは解放状態に維持される。
【００５３】
これに対してブレーキ操作されていることによりステップＳ６３で肯定的に判断された場合には、各クラッチ４Ｒ，４Ｌが係合するように制御される（ステップＳ６４）。すなわち、各前輪１Ｒ，１Ｌがそれぞれに対応して設けられているモータ２Ｒ，２Ｌに連結される。それと併せて各モータ２Ｒ，２Ｌは、発電機として機能するように制御される。したがって、各モータ２Ｒ，２Ｌは前輪１Ｒ，１Ｌから伝達されるトルクによって強制的に回転させられ、それに伴って発電を行い、その電力は図示しない蓄電装置に充電される。
【００５４】
このように図７に示す制御を実行するように構成されている制御装置においては、車両の減速時に各モータ２Ｒ，２Ｌを発電機として機能させ、それに伴う負のトルクを制動トルクとして作用させるので、車両の制動性能が向上するとともに、ブレーキパッドなどの摩擦部位の摩耗を低減することができる。また、電力としてエネルギ回生することができるので、車両の燃費を向上させることができる。
【００５５】
なお、上述した各制御例は、図１に示す構成の左右独立駆動車両を対象としたものであるが、この発明に係る制御装置で対象とすることのできる左右独立駆動車両は、前輪１Ｒ，１Ｌに替えて、後輪３Ｒ，３Ｌのそれぞれを独立して駆動し、かつ前輪１Ｒ，１Ｌをエンジン７の動力で駆動するように構成した車両であってもよい。その例を図８に模式的に示してある。ここに示す例は、前置きエンジン前輪駆動ハイブリッド車（ＦＦ車）をベースにした後輪左右独立電動装置搭載車両の例であり、エンジン７は車両の前側に搭載されており、そのエンジン７は前述した構成の動力分配装置８および終減速機１４を介して左右の前輪１Ｒ，１Ｌに連結されている。すなわち、図８に示すハイブリッド装置は前述した図１に示すものと同様の構成であって、動力分配装置８におけるキャリヤ９にエンジン７が連結され、その動力分配装置８におけるリングギヤ１１は、出力軸１３を介して終減速機１４に連結され、その終減速機１４から左右の前輪１Ｒ，１Ｌに動力が伝達されるように構成されている。また、動力分配装置８におけるサンギヤ１０に第１のモータ・ジェネレータ１２が連結され、かつ出力軸１３に第２のモータ・ジェネレータ１５が連結される。これらのモータ・ジェネレータ１２，１５は図示しないインバータなどのコントローラを介して蓄電装置に接続され、モータとして機能し、また発電機として機能するように制御される。
【００５６】
一方、左右の後輪３Ｒ，３Ｌのそれぞれに対応してモータ２ＲＲ，２ＲＬが設けられており、それらの前輪後輪３Ｒ，３Ｌとモータ２ＲＲ，２ＲＬとの間にクラッチ４ＲＲ，４ＲＬが配置されている。モータ２ＲＲ，２ＲＬは、永久磁石式同期電動機などの発電機能を備えたモータであり、それぞれインバータ５ＲＲ，５ＲＬなどのコントローラを介して図示しない蓄電装置に接続されている。すなわち、蓄電装置から供給される電力によってモータとして機能し、また強制的に回転させられることにより発電を行い、その電力を蓄電装置に充電するように構成されている。
【００５７】
また、クラッチ４ＲＲ，４ＲＬは摩擦クラッチや噛み合いクラッチなど、要は、係合することによりトルクを伝達できる状態になり、解放することによりトルクの伝達を遮断するように構成された継手であり、油圧や電磁力によって係合・解放の動作を行うように構成されている。したがって各クラッチ４ＲＲ，４ＲＬはその係合・解放の制御を電気的に行い得るように構成されており、その制御のためのクラッチ制御部６Ｒが設けられている。このクラッチ制御部６Ｒは、所定の条件が成立することによってクラッチ４ＲＲ，４ＲＬに対してこれを係合させ、あるいは解放させる指令信号を出力し、それに基づいて図示しないアクチュエータが動作してクラッチ４ＲＲ，４ＲＬが係合し、あるいは解放するように構成されている。また、各モータ２ＲＲ，２ＲＬやクラッチ４ＲＲ，４ＲＬ、モータ・ジェネレータ１２，１５などを制御するための電子制御装置１６が設けられていること、各車輪にはブレーキが設けられていることなど、車両としての一般的な機器が設けられていることは前述した図１に示す車両と同様である。
【００５８】
また、図９に示す例は、前後左右の四輪１Ｒ，１Ｌ，３Ｒ，３Ｌの全てをそれぞれに対応させて設けたモータ２Ｒ，２Ｌ，２ＲＲ，２ＲＬによって独立して駆動するように構成された車両の例である。すなわち、前述したハイブリッド装置に替えて、車輪毎のモータおよびクラッチが設けられている。したがって、図９に示す構成は、図１に示す構成と図８に示す構成とを組み合わせたものであるから、図９には図１あるいは図８に付した参照符号を付してその説明を省略する。なお、図９にはエンジン７を搭載した例を示してあるが、エネルギの全てを蓄電装置から得るようにし、かつその蓄電装置に対する充電を商用電源から得るように構成したいわゆるプラグインタイプの車両として構成した場合には、エンジン７を省略してもよい。また、エンジン７は図示しない発電機を駆動して蓄電装置への充電を行うために搭載してあってもよい。
【００５９】
これら図８に示す構成の車両および図９に示す構成の車両のいずれであっても、前述したこの発明に係る制御装置によってそのクラッチの係合・解放の制御を行うことができ、また前述した作用・効果と同様の作用・効果を得ることができる。
【００６０】
ここで、上述した各具体例とこの発明との関係を簡単に説明すると、前述したステップＳ３３，Ｓ３５．Ｓ３６を実行する機能的手段が、請求項２の発明における温度検出手段に相当し、ステップＳ３４を実行する機能的手段が、請求項２の発明におけるクラッチ解放手段に相当する。また、前述したステップＳ４１，Ｓ４３を実行する機能的手段が、請求項３の発明における旋回時温度検出手段に相当し、ステップＳ４５，Ｓ４９を実行する機能的手段が、請求項３の発明におけるクラッチ解放手段に相当し、さらにステップＳ５０を実行する機能的手段が、請求項３の発明における電動機制御手段に相当する。
【符号の説明】
【００６１】
１Ｒ，１Ｌ…（左右の）前輪、  ２Ｒ，２Ｌ，２ＲＲ，２ＲＬ…モータ、  ３Ｒ，３Ｌ…（左右の）後輪、  ４Ｒ，４Ｌ，４ＲＲ，４ＲＬ…クラッチ、  ５Ｒ，５Ｌ，５ＲＲ，５ＲＬ…インバータ、  ６，６Ｒ…クラッチ制御部、  ７…エンジン、  ８…動力分配装置、  ９…キャリヤ、  １０…サンギヤ、  １１…リングギヤ、  １２…第１のモータ・ジェネレータ、  １３…出力軸、  １４…終減速機（デファレンシャルギヤ）、  １５…第２のモータ・ジェネレータ、  １６…電子制御装置（ＥＣＵ）。
【図１】
2011084223.tif 000003
【図２】
2011084223.tif 000004
【図３】
2011084223.tif 000005
【図４】
2011084223.tif 000006
【図５】
2011084223.tif 000007
【図６】
2011084223.tif 000008
【図７】
2011084223.tif 000009
【図８】
2011084223.tif 000010
【図９】
2011084223.tif 000011